(57)【要約】【課題】  カメラの姿勢を調整した後の撮影において、カメラの姿勢が調整した姿勢とずれて撮影されてしまう可能性を抑制する。【解決手段】  撮像手段における左右方向または上下方向に離れた２つの撮像領域で撮像されたライブビュー画像を表示手段に並べて表示する２点拡大表示を行うように制御する表示制御手段と、  前記２点拡大表示を行っていない状態でのライブビュー表示ではタッチ操作による撮影指示を受け付けるための表示アイテムを表示することなく、前記２点拡大表示を行っている場合には撮影指示を受け付けるための前記表示アイテムを表示するように制御する制御手段とを有する。【選択図】  図６
2018133674.tif 000002
【特許請求の範囲】
【請求項１】
撮像手段における左右方向または上下方向に離れた２つの撮像領域で撮像されたライブビュー画像を表示手段に並べて表示する２点拡大表示を行うように制御する表示制御手段と、
前記２点拡大表示を行っていない状態でのライブビュー表示ではタッチ操作による撮影指示を受け付けるための表示アイテムを表示することなく、前記２点拡大表示を行っている場合には撮影指示を受け付けるための前記表示アイテムを表示するように制御する制御手段と
を有することを特徴とする撮像装置。
【請求項２】
前記表示制御手段は、前記表示アイテムを、前記２点拡大で並べて表示された２つの領域のうち、前記撮像装置を保持するためのグリップ部に近い側の領域に表示するように制御することを特徴とする請求項１に記載の撮像装置。
【請求項３】
前記表示制御手段は、前記表示アイテムを、前記２点拡大で並べて表示された２つの領域のうち、前記撮像手段に入射する被写体光の光軸の延長線に近い側の領域に表示するように制御することを特徴とする請求項１または２に記載の撮像装置。
【請求項４】
前記表示制御手段は、前記表示アイテムを、同時に表示されるタッチ操作可能な他のどのアイコンよりも前記光軸の延長線に位置に表示するように制御することを特徴とする請求項３に記載の撮像装置。
【請求項５】
前記２点拡大表示で並べて表示された２つの領域のうち一方を選択する選択手段を更に有し、
前記表示制御手段は、前記選択手段での選択を行うための操作方法を示すアイコンを前記選択手段での選択に応じて前記選択手段で選択していない方の領域に表示し、前記表示アイテムを前記選択手段での選択に関わらず同一の特定方向側の領域に表示するように制御することを特徴とする請求項１乃至４のいずれか１項に記載の撮像装置。
【請求項６】
前記表示制御手段は、前記２点拡大表示において、並べて表示された２つの領域のそれぞれの領域の左右中央及び上下中央を示す補助線を表示するように制御し、前記表示アイテムを、前記特定方向側の領域の左右中央を示す補助線よりも前記特定方向側に表示するように制御することを特徴とする請求項５に記載の撮像装置。
【請求項７】
撮像手段における左右方向または上下方向に離れた２つの撮像領域で撮像されたライブビュー画像を表示手段に並べて表示する２点拡大表示を行うように制御する表示制御手段と、
前記２点拡大表示を行っていない状態での撮影指示に応じてメカニカルシャッター方式での撮影を行い、前記２点拡大表示を行っている状態での撮影指示に応じて電子シャッター方式での撮影を行うように制御する制御手段と
を有することを特徴とする撮像装置。
【請求項８】
前記制御手段はさらに、前記２点拡大表示を行っていない状態での撮影指示に応じてメカニカルシャッター方式での撮影を行い、前記２点拡大表示を行っている状態での撮影指示に応じて電子シャッター方式での撮影を行うように制御することを特徴とする請求項１乃至６のいずれか１項に記載の撮像装置。
【請求項９】
前記２点拡大表示を行っている際のシャッター方式をユーザーの操作に応じて設定する設定手段を更に有し、
前記制御手段は、前記設定手段で電子シャッター方式が設定されており、かつ、前記２点拡大表示を行っている場合に、撮影指示に応じて電子シャッター方式での撮影を行うように制御することを特徴とする請求項７または８に記載の撮像装置。
【請求項１０】
前記表示制御手段は、前記２点拡大表示を行う際に、前記設定手段で前記２点拡大表示を行っている際のシャッター方式としてメカシャッターが設定されている場合には、警告または電子シャッター方式の設定を促す表示を行うように制御することを特徴とする請求項９に記載の撮像装置。
【請求項１１】
撮像手段における左右方向または上下方向に離れた２つの撮像領域で撮像されたライブビュー画像を表示手段に並べて表示する２点拡大表示を行うように制御する表示制御手段と、
セルフタイマー撮影を行う設定ではない場合に、前記２点拡大表示を行っていない状態での撮影指示に応じては所定時間の経過を待つことなく撮影を行い、前記２点拡大表示を行っている状態での撮影指示に応じては前記所定時間の経過を待ってから撮影を行うように制御する制御手段と
を有することを特徴とする撮像装置。
【請求項１２】
前記制御手段は更に、セルフタイマー撮影を行う設定ではない場合に、前記２点拡大表示を行っていない状態での撮影指示に応じては所定時間の経過を待つことなく撮影を行い、前記２点拡大表示を行っている状態での撮影指示に応じては前記所定時間の経過を待ってから撮影を行うように制御することを特徴とする請求項１乃至１０のいずれか１高に記載の撮像装置。
【請求項１３】
撮像手段における左右方向または上下方向に離れた２つの撮像領域で撮像されたライブビュー画像を表示手段に並べて表示する２点拡大表示を行うように制御する表示制御手段と、
前記２点拡大表示を行っていない状態で特定の操作部材が押下されたことに応じて特定の機能を実行し、前記２点拡大表示を行っている状態で前記特定の操作部材が押下されたことに応じて前記特定の機能とは異なる機能である撮影を行うように制御する制御手段と
を有することを特徴とする撮像装置。
【請求項１４】
前記制御手段はさらに、前記２点拡大表示を行っていない状態で特定の操作部材が押下されたことに応じて特定の機能を実行し、前記２点拡大表示を行っている状態で前記特定の操作部材が押下されたことに応じて前記特定の機能とは異なる機能である撮影を行うように制御することを特徴とする請求項１乃至１２のいずれか１項に記載の撮像装置。
【請求項１５】
前記特定の操作部材は、２点拡大表示中に機能が割り当てられていない他のどのボタンよりも光軸延長線上に近い位置に配置されたボタンであることを特徴とする請求項１３または１４に記載の撮像装置。
【請求項１６】
撮像手段における左右方向または上下方向に離れた２つの撮像領域で撮像されたライブビュー画像を表示手段に並べて表示する２点拡大表示を行うように制御する表示制御手段と、
前記２点拡大表示を行う際に、タッチ操作またはリモコンによる撮影指示を促すように制御する制御手段を有することを特徴とする撮像装置。
【請求項１７】
前記制御手段は更に、前記２点拡大表示を行う際に、タッチ操作またはリモコンによる撮影指示を促すように制御することを特徴とする請求項１乃至１５のいずれか１項に記載の撮像装置。
【請求項１８】
撮像装置であって、
前記撮像装置の姿勢を検知する姿勢検知手段と、
前記姿勢検知手段で検知した姿勢に基づいて、前記撮像装置の姿勢を示す水準器を表示するように制御する制御手段と、
前記水準器を表示していない状態でのライブビュー表示ではタッチ操作による撮影指示を受け付けるための表示アイテムを表示することなく、前記水準器を表示している場合には撮影指示を受け付けるための前記表示アイテムを表示するように制御する制御手段と
を有することを特徴とする撮像装置。
【請求項１９】
撮像手段における左右方向または上下方向に離れた２つの撮像領域で撮像されたライブビュー画像を表示手段に並べて表示する２点拡大表示を行うように制御する表示制御ステップと、
前記２点拡大表示を行っていない状態でのライブビュー表示ではタッチ操作による撮影指示を受け付けるための表示アイテムを表示することなく、前記２点拡大表示を行っている場合には撮影指示を受け付けるための前記表示アイテムを表示するように制御する制御ステップと
を有することを特徴とする撮像装置の制御方法。
【請求項２０】
撮像手段における左右方向または上下方向に離れた２つの撮像領域で撮像されたライブビュー画像を表示手段に並べて表示する２点拡大表示を行うように制御する表示制御ステップと、
前記２点拡大表示を行っていない状態での撮影指示に応じてメカニカルシャッター方式での撮影を行い、前記２点拡大表示を行っている状態での撮影指示に応じて電子シャッター方式での撮影を行うように制御する制御ステップと
を有することを特徴とする撮像装置の制御方法。
【請求項２１】
撮像手段における左右方向または上下方向に離れた２つの撮像領域で撮像されたライブビュー画像を表示手段に並べて表示する２点拡大表示を行うように制御する表示制御ステップと、
セルフタイマー撮影を行う設定ではない場合に、前記２点拡大表示を行っていない状態での撮影指示に応じては所定時間の経過を待つことなく撮影を行い、前記２点拡大表示を行っている状態での撮影指示に応じては前記所定時間の経過を待ってから撮影を行うように制御する制御ステップと
を有することを特徴とする撮像装置の制御方法。
【請求項２２】
撮像手段における左右方向または上下方向に離れた２つの撮像領域で撮像されたライブビュー画像を表示手段に並べて表示する２点拡大表示を行うように制御する表示制御ステップと、
前記２点拡大表示を行っていない状態で特定の操作部材が押下されたことに応じて特定の機能を実行し、前記２点拡大表示を行っている状態で前記特定の操作部材が押下されたことに応じて前記特定の機能とは異なる機能である撮影を行うように制御する制御ステップと
を有することを特徴とする撮像装置の制御方法。
【請求項２３】
コンピュータを、請求項１乃至１８のいずれか１項に記載された撮像装置の各手段として機能させるためのプログラム。
【請求項２４】
コンピュータを、請求項１乃至１８のいずれか１項に記載された撮像装置の各手段として機能させるためのプログラムを格納したコンピュータが読み取り可能な記憶媒体。
【発明の詳細な説明】
【技術分野】
【０００１】
本発明は、ライブビュー画像の一部分を拡大して表示する技術に関する。
【背景技術】
【０００２】
カメラを使用する際、カメラを水平に構えて撮影することが望ましいケースがある。例えば建物や風景などを撮影する際、カメラが水平でないと撮影された画像が斜めになり違和感が生じる。これに対し、特許文献１では、加速度センサーで検出した重力方向に基づいてカメラの姿勢を検出し、検出したカメラの姿勢を示す水準器表示をスル―画像と共に表示する方法が提案されている。また、特許文献２では、ライブビュー画像上の左右方向に離れた２領域をそれぞれ拡大した画像を並べて表示することで、目視での水平合わせを精度よく行えるようにする方法が提案されている。
【先行技術文献】
【特許文献】
【０００３】
【特許文献１】特開２０１２−０６０５６７号広報
【特許文献２】特開２０１６−１６３１０４号広報
【発明の概要】
【発明が解決しようとする課題】
【０００４】
特許文献１、２に記載されたような方法を用いてユーザーがカメラの姿勢を厳密に調整したとしても、撮影時にブレや振動が発生してしまう場合もあり、撮影前に合わせた姿勢が保たれているとは限らない。例えば、ユーザーがシャッターボタンを押しこんだことによりカメラがブレたり、シャッター幕の走行による振動が発生したりすることにより、カメラの姿勢がせっかく調整した姿勢とずれた姿勢で撮影が行われてしまう可能性がある。
【０００５】
そこで本発明は、上記課題に鑑み、カメラの姿勢を調整した後の撮影において、カメラの姿勢が調整した姿勢とずれて撮影されてしまう可能性を抑制した撮像装置、撮像装置の制御方法、プログラム及び記録媒体を提供することを目的とする。
【課題を解決するための手段】
【０００６】
上記課題を解決するために、本発明の撮像装置は、
撮像手段における左右方向または上下方向に離れた２つの撮像領域で撮像されたライブビュー画像を表示手段に並べて表示する２点拡大表示を行うように制御する表示制御手段と、
前記２点拡大表示を行っていない状態でのライブビュー表示ではタッチ操作による撮影指示を受け付けるための表示アイテムを表示することなく、前記２点拡大表示を行っている場合には撮影指示を受け付けるための前記表示アイテムを表示するように制御する制御手段と
を有することを特徴とする。
【発明の効果】
【０００７】
本発明によれば、カメラの姿勢を調整した後の撮影において、カメラの姿勢が調整した姿勢とずれて撮影されてしまうことを抑制することができる。
【図面の簡単な説明】
【０００８】
【図１】デジタルカメラ１００の外観を示した図である。
【図２】デジタルカメラ１００の構成ブロック図である。
【図３】撮影モード処理のフローチャートである。
【図４】２点拡大処理のフローチャートである。
【図５】撮影モード処理における表示例である。
【図６】２点拡大処理における表示例である。
【発明を実施するための形態】
【０００９】
以下、図面を参照して本発明の好適な実施形態を説明する。
【００１０】
図１（ａ）、（ｂ）に本発明を適用可能な装置の一例としてのデジタルカメラ１００の外観図を示す。図１（ａ）はデジタルカメラ１００の前面斜視図であり、図１（ｂ）はデジタルカメラ１００の背面斜視図である。図１において、表示部２８は画像や各種情報を表示する、カメラ背面に設けられた表示部である。ファインダー外表示部４３は、カメラ上面に設けられた表示部であり、シャッター速度や絞りをはじめとするカメラの様々な設定値が表示される。シャッターボタン６１は撮影指示を行うための操作部である。モード切替スイッチ６０は各種モードを切り替えるための操作部である。端子カバー４０は外部機器との接続ケーブルとデジタルカメラ１００とを接続する接続ケーブル等のコネクタ（不図示）を保護するカバーである。メイン電子ダイヤル７１は操作部７０に含まれる回転操作部材であり、このメイン電子ダイヤル７１を回すことで、シャッター速度や絞りなどの設定値の変更等が行える。電源スイッチ７２はデジタルカメラ１００の電源のＯＮ及びＯＦＦを切り替える操作部材である。サブ電子ダイヤル７３は操作部７０に含まれ、操作部７０に含まれる回転操作部材であり、選択枠の移動や画像送りなどを行える。十字キー７４は操作部７０に含まれ、上、下、左、右部分をそれぞれ押し込み可能な十字キー（４方向キー）である。十字キー７４の押した部分に応じた操作が可能である。ＳＥＴボタン７５は操作部７０に含まれ、押しボタンであり、主に選択項目の決定などに用いられる。ＬＶボタン７６は操作部７０に含まれ、静止画撮影モードおいてライブビュー（以下、ＬＶ）のＯＮとＯＦＦを切り替えるボタンである。動画撮影モードにおいては、動画撮影（記録）の開始、停止の指示に用いられる。拡大ボタン７７は操作部７０に含まれ、撮影モードのライブビュー表示において拡大モードのＯＮ、ＯＦＦ，及び拡大モード中の拡大率の変更を行うための操作ボタンである。再生モードにおいては再生画像を拡大し、拡大率を増加させるための拡大ボタンとして機能する。縮小ボタン７８は操作部７０に含まれ、拡大された再生画像の拡大率を低減させ、表示された画像を縮小させるためのボタンである。再生ボタン７９は操作部７０に含まれ、撮影モードと再生モードとを切り替える操作ボタンである。撮影モード中に再生ボタン７９を押下することで再生モードに移行し、記録媒体２００に記録された画像のうち最新の画像を表示部２８に表示させることができる。クイックリターンミラー１２は、システム制御部５０から指示されて、不図示のアクチュエータによりアップダウンされる。通信端子１０はデジタルカメラ１００がレンズ側（着脱可能）と通信を行う為の通信端子である。接眼ファインダー１６はフォーカシングスクリーン１３を観察することで、レンズユニット１５０を通して得た被写体の光学像の焦点や構図の確認を行うための覗き込み型のファインダーである。蓋２０２は記録媒体２００を格納したスロットの蓋である。グリップ部９０は、ユーザーがデジタルカメラ１００を構えた際に右手で握りやすい形状とした保持部である。
【００１１】
図２は、本実施形態によるデジタルカメラ１００の構成例を示すブロック図である。
【００１２】
レンズユニット１５０は、交換可能な撮影レンズを搭載するレンズユニットである。
【００１３】
レンズ１０３は通常、複数枚のレンズから構成されるが、ここでは簡略して一枚のレンズのみで示している。通信端子６はレンズユニット１５０がデジタルカメラ１００側と通信を行う為の通信端子であり、通信端子１０はデジタルカメラ１００がレンズユニット１５０側と通信を行う為の通信端子である。レンズユニット１５０は、この通信端子６，１０を介してシステム制御部５０と通信し、内部のレンズシステム制御回路４によって絞り駆動回路２を介して絞り１の制御を行い、ＡＦ駆動回路３を介して、レンズ１０３の位置を変位させることで焦点を合わせる。
【００１４】
ＡＥセンサー１７は、レンズユニット１５０を通した被写体の輝度を測光する。
【００１５】
焦点検出部１１は、システム制御部５０にデフォーカス量情報を出力する。システム制御部５０はそれに基づいてレンズユニット１５０を制御し、位相差ＡＦを行う。
【００１６】
クイックリターンミラー１２（以下、ミラー１２）は、露光、ライブビュー撮影、動画撮影の際にシステム制御部５０から指示されて、不図示のアクチュエータによりアップダウンされる。ミラー１２は、レンズ１０３から入射した光束をファインダー１６側と撮像部２２側とに切替えるためのミラーである。ミラー１２は通常時はファインダー１６へと光束を導くよう反射させるように配されているが、撮影が行われる場合やライブビュー表示の場合には、撮像部２２へと光束を導くように上方に跳ね上がり光束中から待避する（ミラーアップ）。またミラー１２はその中央部が光の一部を透過できるようにハーフミラーとなっており、光束の一部を、焦点検出を行うための焦点検出部１１に入射するように透過させる。
【００１７】
撮影者は、ペンタプリズム１４とファインダー１６を介して、フォーカシングスクリーン１３を観察することで、レンズユニット１５０を通して得た被写体の光学像の焦点や構図の確認が可能となる。
【００１８】
シャッター１０１は、システム制御部５０の制御で撮像部２２の露光時間を自由に制御できるフォーカルプレーンシャッターである。先幕と後幕とを有し、撮像部２２を物理的に遮光する。
【００１９】
撮像部２２は光学像を電気信号に変換するＣＣＤやＣＭＯＳ素子等で構成される撮像素子（撮像センサ）である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００２０】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００２１】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００２２】
また、メモリ３２は画像表示用のメモリ（ビデオメモリ）を兼ねている。Ｄ／Ａ変換器１９は、メモリ３２に格納されている画像表示用のデータをアナログ信号に変換して表示部２８に供給する。こうして、メモリ３２に書き込まれた表示用の画像データはＤ／Ａ変換器１９を介して表示部２８により表示される。表示部２８は、ＬＣＤ等の表示器上に、Ｄ／Ａ変換器１９からのアナログ信号に応じた表示を行う。Ａ／Ｄ変換器２３によって一度Ａ／Ｄ変換されメモリ３２に蓄積されたデジタル信号をＤ／Ａ変換器１９においてアナログ変換し、表示部２８に逐次転送して表示することで、電子ビューファインダとして機能し、スルー画像表示（ライブビュー表示）を行える。
【００２３】
ファインダー内液晶表示部４１には、ファインダー内表示部駆動回路４２を介して、現在オートフォーカスが行われている測距点を示す枠（ＡＦ枠）や、カメラの設定状態を表すアイコンなどが表示される。
【００２４】
ファインダー外表示部４３には、ファインダー外表示部駆動回路４４を介して、シャッター速度や絞りをはじめとするカメラの様々な設定値が表示される。
【００２５】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２６】
システム制御部５０は、少なくとも１つのプロセッサーを有する制御部であり、デジタルカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１９、表示部２８等を制御することにより表示制御も行う。
【００２７】
システムタイマー５３は各種制御に用いる時間や、内蔵された時計の時間を計測する計時部である。
【００２８】
モード切替スイッチ６０、第１シャッタースイッチ６２、第２シャッタースイッチ６４、操作部７０はシステム制御部５０に各種の動作指示を入力するための操作手段である。
【００２９】
モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）がある。また、撮影シーン別の撮影設定となる各種シーンモード、プログラムＡＥモード、カスタムモード等がある。モード切替スイッチ６０で、これらのモードのいずれかに直接切り替えられる。あるいは、モード切替スイッチ６０で撮影モードの一覧画面に一旦切り換えた後に、表示された複数のモードのいずれかを選択し、他の操作部材を用いて切り替えるようにしてもよい。同様に、動画撮影モードにも複数のモードが含まれていてもよい。
【００３０】
第１シャッタースイッチ６２は、デジタルカメラ１００に設けられた撮影操作部材であるシャッターボタン６１の操作途中、いわゆる半押し（第一操作・撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００３１】
第２シャッタースイッチ６４は、シャッターボタン６１の操作完了、いわゆる全押し（第二操作・撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００３２】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタン７０ｅが押されると各種の設定可能なメニュー画面が表示部２８に表示される。ユーザーは、表示部２８に表示されたメニュー画面と、上下左右の４方向ボタンやＳＥＴボタンとを用いて直感的に各種設定を行うことができる。
【００３３】
操作部７０は、ユーザーからの操作を受け付ける入力部としての各種操作部材である。操作部７０には、少なくとも以下の操作部が含まれる。シャッターボタン６１、メイン電子ダイヤル７１、電源スイッチ７２、サブ電子ダイヤル７３、十字キー７４、ＳＥＴボタン７５、ＬＶボタン７６、拡大ボタン７７、縮小ボタン７８、再生ボタン７９。十字キー７４は、十字キー７４における上、下、右、左の各部を押し込み可能な方向ボタンである。本実施形態では一体的な操作部として説明しているが、上ボタン、下ボタン、右ボタン、左ボタンがそれぞれ独立したボタンであってもよい。以下、上、または下部分を上下キー、左または右部分を左右キーと称する。また、操作部７０には以下の操作部も含まれる。
【００３４】
ＡＦ−ＯＮボタン７０ｂは、操作部７０に含まれる押しボタンスイッチであり、押下することでＡＦの実行を指示することができる。ＡＦ−ＯＮボタン７０ｂの押下方向は、レンズ１０３から撮像部２２に入射する被写体光の方向（光軸）と平行である。
【００３５】
クイック設定ボタン７０ｃ（以下、Ｑボタン７０ｃ）は、操作部７０に含まれる押しボタンスイッチであり、押下することで、各動作モードにおいて設定可能な設定項目の一覧であるクイック設定メニューが表示される。例えばライブビュー撮影での撮影待機中に押下されると、電子先幕シャッター、モニターの明るさ、ＬＶ画面のＷＢ、２点拡大、無音撮影などの設定項目の一覧がＬＶに重畳して１列に表示される。ユーザーは表示されたクイック設定メニューの内、任意の選択肢を上下キーで選択してセットボタンを押下することで、選択した設定項目に関する設定変更や動作モードへの移行を行うことができる。
【００３６】
アクティブ枠切替ボタン７０ｄは、操作部７０に含まれる押しボタンスイッチであり、後述する２点拡大処理において押下することで、拡大している２箇所のうち、アクティブな拡大位置（枠）を切り替えることができる。また、動作モードによって異なる機能が割り当てられており、再生モードにおいて押下すると、表示している画像にプロテクト属性を付与することができる。
【００３７】
メニューボタン７０ｅは、操作部７０に含まれる押しボタンスイッチであり、各種の設定が可能なメニュー画面が表示部２８に表示される。
【００３８】
ファンクションボタン７０ｆは、操作部７０に含まれる３つの押しボタンスイッチであり、それぞれ機能が割り当てられている。ファンクションボタン７０ｆのそれぞれは、グリップ部９０を保持する右手の指（中指または薬指または小指）によって操作可能な位置に配置されており、押下方向はレンズ１０３から撮像部２２に入射する被写体光の方向（光軸）と平行である。
【００３９】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００４０】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００４１】
通信部５４は、無線または有線ケーブルによって接続し、映像信号や音声信号の送受信を行う。通信部５４は無線ＬＡＮ（Ｌｏｃａｌ  Ａｒｅａ  Ｎｅｔｗｏｒｋ）やインターネットとも接続可能である。通信部５４は撮像部２２で撮像した画像（スルー画像を含む）や、記録媒体２００に記録された画像を送信可能であり、また、外部機器から画像データやその他の各種情報を受信することができる。
【００４２】
姿勢検知部５５は重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像なのかを判別可能である。システム制御部５０は、姿勢検知部５５で検知された姿勢に応じた向き情報を撮像部２２で撮像された画像の画像ファイルに付加したり、画像を回転して記録することが可能である。姿勢検知部５５としては、加速度センサーやジャイロセンサーなどを用いることができる。
【００４３】
なお操作部７０の一つとして、表示部２８に対する接触を検知可能なタッチパネル７０ａを有する。タッチパネル７０ａと表示部２８とは一体的に構成することができる。例えば、タッチパネル７０ａを光の透過率が表示部２８の表示を妨げないように構成し、表示部２８の表示面の上層に取り付ける。そして、タッチパネル７０ａにおける入力座標と、表示部２８上の表示座標とを対応付ける。これにより、恰もユーザーが表示部２８上に表示された画面を直接的に操作可能であるかのようなＧＵＩ（グラフィカルユーザーインターフェース）を構成することができる。システム制御部５０はタッチパネル７０ａへの以下の操作。あるいは状態を検出できる。
【００４４】
・タッチパネル７０ａにタッチしていなかった指やペンが新たにタッチパネル７０ａにタッチしたこと。すなわち、タッチの開始（以下、タッチダウン（Ｔｏｕｃｈ−Ｄｏｗｎ）と称する）。
・タッチパネル７０ａを指やペンでタッチしている状態であること（以下、タッチオン（Ｔｏｕｃｈ−Ｏｎ）と称する）。
・タッチパネル７０ａを指やペンでタッチしたまま移動していること（以下、タッチムーブ（Ｔｏｕｃｈ−Ｍｏｖｅ）と称する）。
・タッチパネル７０ａへタッチしていた指やペンを離したこと。すなわち、タッチの終了（以下、タッチアップ（Ｔｏｕｃｈ−Ｕｐ）と称する）。
・タッチパネル７０ａに何もタッチしていない状態（以下、タッチオフ（Ｔｏｕｃｈ−Ｏｆｆ）と称する）。
【００４５】
タッチダウンが検出されると、同時にタッチオンであることも検出される。タッチダウンの後、タッチアップが検出されない限りは、通常はタッチオンが検出され続ける。タッチムーブが検出されるのもタッチオンが検出されている状態である。タッチオンが検出されていても、タッチ位置が移動していなければタッチムーブは検出されない。タッチしていた全ての指やペンがタッチアップしたことが検出された後は、タッチオフとなる。
【００４６】
これらの操作・状態や、タッチパネル７０ａ上に指やペンがタッチしている位置座標は内部バスを通じてシステム制御部５０に通知され、システム制御部５０は通知された情報に基づいてタッチパネル７０ａ上にどのようなタッチ操作が行なわれたかを判定する。タッチムーブについてはタッチパネル７０ａ上で移動する指やペンの移動方向についても、位置座標の変化に基づいて、タッチパネル７０ａ上の垂直成分・水平成分毎に判定できる。所定距離以上をタッチムーブしたことが検出された場合はスライド操作が行なわれたと判定するものとする。タッチパネル上に指をタッチしたままある程度の距離だけ素早く動かして、そのまま離すといった操作をフリックと呼ぶ。フリックは、言い換えればタッチパネル７０ａ上を指ではじくように素早くなぞる操作である。所定距離以上を、所定速度以上でタッチムーブしたことが検出され、そのままタッチアップが検出されるとフリックが行なわれたと判定できる（スライド操作に続いてフリックがあったものと判定できる）。更に、複数箇所（例えば２点）を同時にタッチして、互いのタッチ位置を近づけるタッチ操作をピンチイン、互いのタッチ位置を遠ざけるタッチ操作をピンチアウトと称する。ピンチアウトとピンチインを総称してピンチ操作（あるいは単にピンチ）と称する。タッチパネル７０ａは、抵抗膜方式や静電容量方式、表面弾性波方式、赤外線方式、電磁誘導方式、画像認識方式、光センサー方式等、様々な方式のタッチパネルのうちいずれの方式のものを用いても良い。方式によって、タッチパネルに対する接触があったことでタッチがあったと検出する方式や、タッチパネルに対する指やペンの接近があったことでタッチがあったと検出する方式ものがあるが、いずれの方式でもよい。
【００４７】
図３は、デジタルカメラ１００のＬＶ撮影モード処理の流れを示すフローチャートである。この処理は、不揮発性メモリ５６に記録されたプログラムをシステムメモリ５２に展開してシステム制御部５０が実行することで実現する。デジタルカメラ１００が撮影モードで起動され、ライブビュー撮影がオンとなると図３の処理を開始する。
【００４８】
Ｓ３０１において、システム制御部５０は、表示部２８に撮影待機画面を表示する。図５（ａ）に撮影待機画面の表示例を示す。撮影待機画面には撮像範囲の全体を示すライブビュー画像５００（ＬＶ画像５００）が表示される。ＬＶ画像５００は、撮影範囲（画像ファイルとして記録される撮影画像に写る範囲）の全体が写る全体ライブビュー画像である。また、ＬＶ画像５００に重畳して、撮影モードアイコン５０１、ドライブモードアイコン５０２、ＡＦ方式アイコン５０３が表示される。撮影モードアイコン５０１は、複数の撮影モードのうち、現在設定されている撮影モードを示している。ドライブモードアイコン５０２は、１枚撮影、連続撮影（連写）、セルフタイマー撮影のうち、現在設定されているドライブ設定を示している。ＡＦ方式アイコン５０３は、顔＋追尾優先ＡＦ、ライブ１点ＡＦ、ライブゾーンＡＦなどのＡＦ方式のうち、現在設定されているＡＦ方式を示している。撮影モードアイコン５０１、ドライブモードアイコン５０２、ＡＦ方式アイコン５０３は何れも、撮影に関する設定（撮影設定）の現在の設定値を示す撮影情報である。
【００４９】
Ｓ３０２では、システム制御部５０は、メニューボタン７０ｅが押下されたか否かを判定する。メニューボタン７０ｅが押下された場合はＳ３０３に進み、そうでない場合はＳ３１１に進む。
【００５０】
Ｓ３０３では、システム制御部５０は、撮影パラメータの設定や、時刻、言語設定など、各種の設定が可能なメニュー画面を表示部２８に表示する。図５（ｂ）に、メニュー画面の表示例を示す。メニュー画面には、２点拡大時シャッターの設定に関するメニュー項目５１０と、タッチシャッターの設定に関するメニュー項目５２０を含む複数のメニュー項目が表示される。ユーザーは任意のメニュー項目を選択することで、選択したメニュー項目に関する設定を行うことができる。
【００５１】
Ｓ３０４では、システム制御部５０は、メニュー画面に表示された複数のメニュー項目のうち、２点拡大時シャッターの設定に関するメニュー項目５１０が選択されて決定操作（ＳＥＴボタン７５の押下）がされたか否かを判定する。２点拡大時シャッターの設定に関するメニュー項目５１０が選択・決定された場合はＳ３０５に進み、そうでない場合はＳ３０６に進む。
【００５２】
Ｓ３０５では、システム制御部５０は、２点拡大時シャッターの設定画面を表示し、ユーザーからの設定操作を受け付ける。図５（ｃ）に、２点拡大時シャッターの設定画面の表示例を示す。２点拡大時シャッターの設定は、後述する２点拡大表示を行っている際の撮影のシャッター方式を電子シャッターとするかメカシャッターとするかの設定である。選択肢として、電子シャッター（「電子」）と、メカシャッター（「メカ」）がある。電子シャッター方式は、シャッター１０１の駆動を伴わずに撮影を行う方式であり、撮像素子（撮像部２２）を電気的にＯＮ／ＯＦＦすることにより撮像を行う。電子シャッターはシャッター１０１の幕の走行が無い分、生じる振動が少なく、ブレが発生しにくい。一方、メカシャッター（メカニカルシャッター方式）は、シャッター１０１に含まれる先幕、後幕で構成されるシャッター羽根を走行させることで撮像を行う。メカシャッターはシャッター１０１の幕の走行（駆動）を伴い、これによって振動が生じるため、電子シャッターよりもブレが発生しやすい。一方で、ローリング歪みが発生する状況であればメカシャッターを用いる方が有効である。後述する２点拡大表示は、カメラの姿勢を厳密に調整して撮影するために利用されるものである。このような２点拡大表示を利用した場合に、メカシャッターによって発生する振動によって、厳密に調整された姿勢がずれてしまうのは好ましく無い。従って、２点拡大表示を利用した撮影の際に、厳密に姿勢を調整して撮影することを優先する場合は、２点拡大時シャッターの設定として、電子シャッターを設定しておくと好適である。ユーザーによって電子シャッターの選択肢とメカシャッター選択肢の何れかが選択されて決定操作がされると、システム制御部５０は、選択された選択肢を２点拡大時シャッターの設定値として設定し、不揮発性メモリ５６に記録する。そして、メニュー画面を閉じてＳ３０１に戻る。
【００５３】
Ｓ３０６では、システム制御部５０は、メニュー画面に表示された複数のメニュー項目のうち、タッチシャッターの設定に関するメニュー項目５２０が選択されて決定操作（ＳＥＴボタン７５の押下）がされたか否かを判定する。タッチシャッターの設定に関するメニュー項目５２０が選択・決定された場合はＳ３０７に進み、そうでない場合はＳ３０８に進む。Ｓ３０７では、システム制御部５０は、ユーザーの操作に応じて、タッチシャッターを「入」とするか「切」とするかの何れかに設定し、設定値を不揮発性メモリ５６に記録する。タッチシャッターを「入」とした場合は、表示部２８に表示されたライブビュー上に対するタッチダウンまたはライブビュー上からのタッチアップがあったことに応じて撮影を行う。タッチシャッターを「切」とした場合は、ライブビュー上に対するタッチ操作があっても撮影は行わない。
【００５４】
Ｓ３０８では、システム制御部５０は、メニュー画面に表示された複数のメニュー項目のうち、その他のメニュー項目が選択されたか否かを判定する。その他のメニュー項目が選択・決定された場合はＳ３０９に進んで、選択されたメニュー項目に応じた設定を行う。その他のメニュー項目が選択されていない場合はＳ３１０へ進む。
【００５５】
Ｓ３１０では、システム制御部５０は、メニュー画面を閉じる操作（メニューを抜ける操作）が行われたか否かを判定する。メニュー画面を閉じる操作は、例えばトップメニューを表示した状態でのメニューボタン７０ｅの押下や、シャッターボタン６１の半押しである。メニュー画面を閉じる操作があった場合はメニュー画面を非表示としてＳ３０１に進み、そうでない場合はＳ３０４に進む。
【００５６】
一方、Ｓ３１１では、システム制御部５０は、Ｑボタン７０ｃが押されたか否かを判定する。Ｑボタン７０ｃが押下された場合はＳ３１２に進み、そうでない場合はＳ３２０に進む。Ｓ３１２では、システム制御部５０は、表示部２８にクイック設定メニューを表示する。図５（ｄ）に、クイック設定メニューの表示例を示す。ライブビュー画像５００に重畳してクイック設定メニュー５３０が表示される。クイック設定メニュー５３０には、それぞれ異なる項目を示すアイコン群が並べて表示され、選択状態となったアイコンにはカーソルが表示される。カーソルは十字キー７４の上下操作により移動することができる。
【００５７】
Ｓ３０８では、システム制御部５０は、クイック設定メニュー５３０に表示された複数の項目のうち、２点拡大の項目５３２にカーソルが当たった状態（図５（ｄ）で示す状態）で、ＳＥＴボタン７５が押下されたか否かを判定する。すなわち、２点拡大の項目が選択されて決定操作されたか否かを判定する。２点拡大の項目が選択・決定されたと判定した場合はＳ３１４に進み、そうでない場合にはＳ３１５に進む。Ｓ３１４では、２点拡大処理を行う。２点拡大処理については図４を用いて後述する。
【００５８】
Ｓ３１５では、システム制御部５０は、クイック設定メニュー５３０に表示された複数の項目のうち、セルフタイマーの設定の項目５３１にカーソルが当たった状態で、ＳＥＴボタン７５が押下されたか否かを判定する。すなわち、セルフタイマー設定の項目（ドライブモードの設定項目のことである）が選択・決定されたか否かを判定する。セルフタイマー設定の項目が選択・決定されたと判定した場合はＳ３１６に進み、そうでない場合にはＳ３１７に進む。Ｓ３１６では、システム制御部５０は、セルフタイマーに関するユーザーからの設定操作を受け付け、設定された設定値を不揮発性メモリ５６に記録する。セルフタイマーの設定は、ドライブモードの設定の一種として行われる。ユーザーは、ドライブモードの設定として、１枚撮影（単写）、連続撮影（連写）、２秒セルフタイマー、１０秒セルフタイマー、ユーザーが任意に設定した秒数のセルフタイマーのいずれかを選択して設定することができる。
【００５９】
Ｓ３１９では、システム制御部５０は、Ｑボタン７０ｃが押下されたか否か判定する。Ｑボタン７０ｃが押下された場合はクイック設定メニューの表示を終了させ、そうでない場合はＳ３１３に戻って処理を繰り返す。
【００６０】
Ｓ３２０では、システム制御部５０は、タッチシャッター操作があったか否かを判定する。なお、Ｓ３２０のステップは、前述したタッチシャッターの設定が「入」の場合にのみ行われ、「切」の場合には行わない。Ｓ３２０でタッチシャッター操作があったと判定した場合はＳ３２１に進み、そうでない場合はＳ３２３に進む。タッチシャッター操作とは、表示部２８のうち、ＬＶ画像５００が表示され、撮影モードアイコン５０１、ドライブモードアイコン５０２、ＡＦ方式アイコン５０３などのＬＶ画像５００以外の表示要素が重畳されていない有効領域に対するタッチダウンである。なお、本実施形態ではタッチダウンをタッチシャッター操作とするが、有効領域に対するタッチアップがあった場合にタッチシャッター操作があったと判定するものとしてもよい。
【００６１】
Ｓ３２１では、システム制御部５０は、タッチシャッター操作でタッチされた位置の被写体に合わせて、ＡＦ、ＡＥなどの撮影準備処理を行う。撮影準備処理が終了するとＳ３２２に進んで、メカシャッターによる撮影を行う。すなわち、シャッター１０１を走行させて露光を行い、撮像された画像を画像ファイルとして記録媒体２００に記録する一連の撮影処理を行う。
【００６２】
Ｓ３２３では、システム制御部５０は、シャッターボタン６１が半押しされ、ＳＷ１がオンとなったか否かを判定する。ＳＷ１がオンとなった場合はＳ３２４に進み、そうでない場合はＳ３２９に進む。
【００６３】
Ｓ３２４では、システム制御部５０は、設定されているＡＦ方式（１点ＡＦ、顔ＡＦ、ＡｉＡＦなどのいずれか）にてＡＦを実行する。また、ＡＦのほかに、ＡＥ（自動露出）などの撮影準備処理を設定に応じて行う。
【００６４】
Ｓ３２５では、システム制御部５０は、シャッターボタン６１が全押しされ、ＳＷ２がオンとなったか否かを判定する。ＳＷ２がオンとなった場合はＳ３２７に進み、そうでない場合はＳ３２６に進む。Ｓ３２６では、システム制御部５０は、シャッターボタン６１の半押し状態（ＳＷ１オンの状態）が保持されているか否かを判定する。ＳＷ１のオンが保持されている場合はＳ３２５に進み、保持されていない、すなわちシャッターボタン６１の半押し状態が解除された場合はＳ３０１に戻る。
【００６５】
Ｓ３２７では、システム制御部５０は、セルフタイマーの設定がオンとなっているか否かを判定する。２秒セルフタイマー、１０秒セルフタイマー、ユーザーが任意に設定した秒数のセルフタイマーのいずれかが設定されている場合（セルフタイマー撮影を行う設定と鳴っている場合）は、オンと判定してＳ３２８にすすむ。そうでない場合（単写または連写に設定されている場合）はＳ３２２に進み、セルフタイマー秒時の経過を待つことなく、前述の通りメカシャッターによる撮影処理を行う。Ｓ３２８では、システム制御部５０は、設定されているセルフタイマー秒時（２秒、１０秒、任意に設定した秒数のいずれか）の時間をカウントダウンし、セルフタイマー秒時の経過を待つ。この期間、セルフタイマー音やカメラ前面の発光部などによってカウントダウン通知を行う。セルフタイマー秒時が経過すると、Ｓ３２２に進み、前述の通りメカシャッターによる撮影処理を行う。
【００６６】
Ｓ３２９では、システム制御部５０は、その他の操作が行われたか否かを判定する。その他の操作が行われた場合はＳ３３０に進み、その他の操作に応じた処理を行う。その他の操作が行われていない場合にはＳ３３１へ進む。その他の操作としては、露出補正、シャッター速度、絞り値、ＩＳＯ感度、画像サイズ（解像度）、圧縮率、ＡＦ方式などの撮影条件の設定操作や、情報表示の切替などがある。
【００６７】
Ｓ３３１では、システム制御部５０は、ＬＶ撮影モードの終了イベントがあったか否かを判定する。終了イベントがあった場合はＬＶ撮影モード処理を終了し、そうでない場合はＳ３０２に戻って処理を繰り返す。終了イベントには、電源オフ、ライブビューモードの終了（光学ファインダ撮影のモードへの切替）、再生モードへの切替などがある。
【００６８】
図４は、前述のＳ３１４の２点拡大処理の詳細を示すフローチャートである。この処理は、不揮発性メモリ５６に記録されたプログラムをシステムメモリ５２に展開してシステム制御部５０が実行することで実現する。
【００６９】
Ｓ４０１では、システム制御部５０は、表示部２８において２点拡大表示を行う。図６（ａ）に、２点拡大表示の表示例を示す。２点拡大では、左右方向（水平方向）、または、上下方向（垂直方向）に離れた二つの領域のライブビュー画像を一画面に並べて表示する。図６（ａ）は、左右方向に離れた２つの領域のライブビュー画像を１画面に並べて表示した例である。左側領域６０１は、撮像部２２の左側の一部の領域で撮像されているライブビュー画像を表示する表示領域である。右側領域６０２は、撮像部２２の右側の一部の領域で撮像されているライブビュー画像を表示する表示領域である。左側領域６０１と右側領域６０２に表示されたライブビュー画像は、撮像部２２のうち同じ高さの領域となっている。アクティブ枠６０３は、左側領域６０１と右側領域６０２のうち、現在操作対象となっている領域を示す選択枠である。図６（ａ）では左側領域６０１にアクティブ枠６０３が付されており、左側領域６０１が左右移動、ＡＦなどの対象となっている。補助線６０４は、左側領域６０１の左右中央、上下中央にそれぞれ表示される補助線であり、交点が左側領域６０１の中心である。右側領域６０２にもの同様に上下中央、左右中央の補助線が表示される。中央マーカー６０５は、アクティブ枠側に表示されるマーカーであり、アクティブ枠である左側領域６０１の中心を示している。アクティブ枠の中心部分は補助線６０４、中央マーカー６０５ともに表示されておらず、中心に位置する被写体が確認できるようになっている。ガイド６０６は２点拡大を解除するための操作部材（操作方法）を示すガイダンス表示である。ガイド６０７はアクティブ枠を切り替えるための操作部材（操作方法）を示すガイダンス表示である。拡大位置ガイド６１０は、撮像範囲全体（撮像部２２で撮像されているライブビュー画像全体、撮像指示によって撮像される静止画に写る撮影範囲全体）における、左側領域６０１と右側領域６０２に拡大表示している部分を示すガイドである。すなわち、撮像範囲の全体に対する、左側領域６０１と右側領域６０２に対応する２つの撮像領域の位置とサイズを示すガイドである。左側インジケーター６１１は撮像範囲全体に対する左側領域６０１に表示されているライブビュー画像の範囲を示している。右側インジケーター６１２は撮像範囲全体に対する右側領域６０２に表示されているライブビュー画像の範囲を示している。左側領域６０１にアクティブ枠６０３があることがわかるように、左側インジケーター６１１は右側インジケーター６１２と異なる色または太さで表示されている。ガイド６０６、ガイド６０７、拡大位置ガイド６１０は、アクティブ枠６０３のある領域のライブビュー画像の視認の妨げとならないように、アクティブ枠６０３の無い方の領域（非アクティブ枠）のライブビュー画像に重畳して表示される。
【００７０】
また、シャッターアイコン６３０が表示される。シャッターアイコン６３０は、撮影指示を行うタッチ操作を受付ける表示アイテム（操作アイコン）であり、タッチされると撮影が行われる。シャッターアイコン６３０は、撮像部２２に入射する被写体光の光軸の延長線上近くに表示される。これは、シャッターアイコン６３０をタッチすることによってデジタルカメラ１００に力が加わった場合に、その力によってデジタルカメラ１００の姿勢が光軸回りの方向にずれることを防止するためである。このような配置とすることで、シャッターアイコン６３０をタッチした力によって、２点拡大で被写体に合わせて調整した水平姿勢がずれてしまう可能性を低減することができる。シャッターアイコン６３０は、左側領域６０１と右側領域６０２のうち、光軸延長線上に近い側の領域に表示される。また、シャッターアイコン６３０は、同時に表示されるタッチ操作可能な他のどのタッチアイコンよりも光軸延長線上に近い位置に表示される。例えば、シャッターアイコン６３０は、タッチ操作可能なタッチアイコンでもあるガイド６０６、ガイド６０７よりも光軸延長線上に近い位置に表示される。また、ガイド６０６、ガイド６０７、拡大位置ガイド６１０は、アクティブ枠６０３の位置によって異なる位置（非アクティブ枠）に表示される。一方、シャッターアイコン６３０は、アクティブ枠６０３の位置によらずに同じ位置（同一の特定方向側、すなわち右側の領域）に表示される。さらに、シャッターアイコン６３０は、表示部２８のうちグリップ部９０に近い側に表示される。すなわち、左側領域６０１と右側領域６０２のうち、グリップ部９０に近い側の右側領域６０２に表示される。右側領域６０２の中でも、グリップ部に近い右側に表示されるため、右側領域６０２の左右中央を示す補助線６０４よりも右側の領域に表示される。これは、グリップ部を保持して手持ちでデジタルカメラ１００を構えた場合に、グリップ部を保持する手の指（親指）でタッチし易いようにするためである。
【００７１】
２点拡大表示は、カメラの姿勢を厳密に調整して撮影するために利用されるため、撮影を指示する操作によってデジタルカメラ１００の姿勢がずれてしまうのは好ましく無い。しかし、シャッターボタン６１の押下によって撮影指示を行う場合、シャッターボタン６１が押しボタンであること、及び、押し込む方向が光軸回転方向（光軸回転方向のトルクが掛かる方向）であるため、水平に合わせた姿勢がずれやすい。これに対しシャッターアイコン６３０へのタッチ操作であれば、押しボタンよりもデジタルカメラ１００に加わる力が小さくてすむ。また、タッチする際に力が加わる方向が光軸に平行な方向であるため、光軸回りへのトルクも発生しにくい。従って、シャッターアイコン６３０へのタッチ操作で撮影指示を行う方が、シャッターボタン６１の押下によって撮影指示を行うよりも、デジタルカメラ１００の姿勢がずれにくい。このため、２点拡大表示においては、図示のようにシャッターアイコン６３０をＬＶ画像に重畳して表示することで、ユーザーに、タッチ操作での撮影指示を促すようにしている。なお、２点拡大表示でない場合は、図５（ａ）に図示した通り、シャッターアイコン６３０は表示しない。これは、シャッターアイコン６３０を表示してしまうとＬＶ画像の視認の妨げとなってしまうためである。また、前述のタッチシャッターを有効（「入」）にすればシャッターアイコン６３０を表示しなくともタッチ操作による撮影指示が可能であることも理由である。
【００７２】
Ｓ４０２では、システム制御部５０は、不揮発性メモリ５６に記録された設定情報を参照し、タッチシャッターの設定が「入」であるか否かを判定する。タッチシャッターの設定が「切」に設定されている場合はＳ４０３に進み、「入」に設定されている場合はＳ４０４に進む。Ｓ４０４では、システム制御部５０は、図６（ｂ）に示すように、タッチシャッターまたはリモコン撮影による撮影を推奨する旨のガイダンス６３１を表示する。タッチシャッターに限らず、タッチ操作による撮影を推奨する旨のガイダンスでもよい。このような表示によって、ユーザーがシャッターボタン６１を押下する操作によって撮影指示を行い、デジタルカメラ１００の姿勢がずれてしまう可能性を低減することができる。ガイダンス６３１は、２点拡大表示を開始してから所定時間（例えば６秒）表示し、所定時間経過後に自動的に非表示とする。これによってＬＶ画像の視認の妨げにならないようにする。なお、ガイダンス６３１はタッチシャッターの設定が「切」の場合に表示するものと説明したが、タッチシャッターの設定に関わらずに表示するようにしてもよい。すなわち、タッチシャッターの設定が「入」の場合にも表示するようにしてもよい。また、ガイダンス６３１の表示と共に、タッチシャッターの設定を「入」に設定するための表示アイテムを表示してもよい。そしてこの表示アイテムに対する操作があった場合に、メニュー画面に切り替えることなくタッチシャッターの設定を「入」に切り替えることができるようにしても良い。
【００７３】
Ｓ４０４では、システム制御部５０は、不揮発性メモリ５６に記録された設定情報を参照し、２点拡大時シャッターの設定が、メカシャッターとなっているか否かを判定する。メカシャッターに設定されている場合にはＳ４０５に進み、そうでない場合（電子シャッターに設定されている場合）はＳ４０６に進む。Ｓ４０５では、システム制御部５０は、図６（ｃ）に示すように、メカシャッターに設定されていることを注意喚起するガイダンス６３２（警告）を表示する。メカシャッターに設定されていることを注意喚起する内容ではなく、電子シャッターに設定することを推奨する旨（電子シャッターの設定を促す旨）のメッセージ表示でもよい。また、ガイダンス６３２の表示と共に、２点拡大時シャッターの設定を「電子シャッター」に設定するための表示アイテムを表示してもよい。そしてこの表示アイテムに対する操作があった場合に、メニュー画面に切り替えることなく、２点拡大時シャッターの設定を「電子シャッター」に切り替えることができるようにしても良い。ガイダンス６３２は、２点拡大表示を開始してから所定時間（例えば６秒）表示し、所定時間経過後に自動的に非表示とする。これによってＬＶ画像の視認の妨げにならないようにする。タッチシャッターが「切」（Ｓ４０２Ｎｏ）で、かつ、２点拡大時シャッターの設定が「メカシャッター」（Ｓ４０４Ｙｅｓ）の場合は、ガイダンス６３１の内容とガイダンス６３２の内容とを双方、互いに重ならない位置に表示する。
【００７４】
Ｓ４０６では、システム制御部５０は、拡大ボタン７７の押下または縮小ボタン７８の押下（拡大／縮小指示）があったか否かを判定する。拡大ボタン７７の押下または縮小ボタン７８の押下があった場合はＳ４０７に進み、そうでない場合はＳ４０８に進む。
【００７５】
Ｓ４０７では、システム制御部５０は、操作に応じて２点拡大しているＬＶ画像の倍率を変更する。拡大ボタン７７が押下された場合は左側領域６０１、右側領域６０２に表示されるＬＶ画像を操作前の倍率よりもそれぞれ拡大し、同じ拡大倍率とする（左右連動して拡大する）。縮小ボタン７８が押下された場合は左側領域６０１、右側領域６０２に表示されるＬＶ画像を操作前の倍率よりもそれぞれ縮小し、同じ拡大倍率とする。変更された拡大倍率はシステムメモリ５２に記録し、一旦２点拡大が解除された場合も、電源がオフとならずに再度２点拡大表示がされた場合は同じ拡大倍率から表示する。図６（ｄ）に、図６（ａ）の状態から拡大ボタン７７が押下されて拡大された場合の表示例を示す。左側領域６０１と右側領域６０２に表示されたライブビュー画像は、それぞれ図６（ａ）よりも図６（ｄ）の方が拡大している。また、拡大した分、撮像範囲全体のうち表示される範囲は狭まるため、拡大位置ガイド６１０に表示された左側インジケーター６１１と右側インジケーター６１２は、それぞれ図６（ａ）よりも図６（ｄ）の方が小さくなっている。
【００７６】
Ｓ４０８では、システム制御部５０は、アクティブ枠切替ボタン７０ｄが押下されたか否かを判定する。アクティブ枠切り替えボタン７０が押下された場合はＳ４０９に進み、そうでない場合はＳ４１０に進む。
【００７７】
Ｓ４０９では、システム制御部５０は、操作前にアクティブ枠６０３があった領域から他方の領域にアクティブ枠６０３を移動する。図６（ｅ）に、図６（ｄ）の状態からアクティブ枠切り替えボタン７０が押下され、アクティブ枠６０３を移動した場合の表示例を示す。図６（ｄ）で左側領域６０１にあったアクティブ枠６０３は、図６（ｅ）では右側領域６０２に切り替わっている。また、ガイド６０６、ガイド６０７、拡大位置ガイド６１０は、非アクティブ枠である左側領域６０１に重畳する位置に移動している。
【００７８】
Ｓ４１０では、システム制御部５０は、十字キー７４のうち左右キーが操作されたか否かを判定する。左右キーが操作された場合はＳ４１１に進み、そうでない場合はＳ４１２に進む。
【００７９】
Ｓ４１１では、システム制御部５０は、左右キーの操作に応じてアクティブ枠６０３のある方の領域の表示範囲を左右に移動する。すなわち、左ボタンが押下された場合はアクティブ枠６０３のある方の領域の表示範囲を左に移動し、右ボタンが押下された場合はアクティブ枠６０３のある方の領域の表示範囲を右に移動する。図６（ｆ）に、図６（ｅ）の状態から右ボタンが何度か押下された場合の表示例を示す。アクティブ枠６０３のある右側領域６０２に表示される拡大領域が、図６（ｅ）よりも図６（ｆ）の方が撮像範囲のうち右側に移動している（従って映像自体は右から左にスクロール移動する）。この時、非アクティブ枠である左側領域６０１の表示範囲は変更されない（左右領域が接していない場合の左右移動は非連動）。拡大位置ガイド６１０において、右側領域６０２の表示範囲がより右に移動したことが分かるように、右側インジケーター６１２は図６（ｅ）よりも図６（ｆ）の方が右に移動している。変更された表示範囲（表示位置）はシステムメモリ５２に記録し、一旦２点拡大が解除された場合も、電源がオフとならずに再度２点拡大表示がされた場合は同じ表示範囲を２点拡大表示する。なお、左側領域６０１の表示範囲の右端が右側領域６０２の表示範囲の左端と接している場合は、アクティブ枠が左側領域６０１であっても、更に右に移動する指示に応じて左側領域６０１と右側領域６０２の表示範囲を双方連動して右側に移動する。ただし、右側領域６０２が撮像範囲全体の右端に達した場合はそれ以上右に移動できないため、更に右に移動する指示があっても移動しない。逆に、右側領域６０２の表示範囲の左端が左側領域６０１の表示範囲の右端と接している場合は、アクティブ枠が右側領域６０２であっても、更に左に移動する指示に応じて左側領域６０１と右側領域６０２の表示範囲を双方連動して左側に移動する。ただし、左側領域６０１が撮像範囲全体の左端に達した場合はそれ以上左に移動できないため、更に左に移動する指示があっても移動しない。
【００８０】
Ｓ４１２では、システム制御部５０は、十字キー７４のうち上下キーが操作されたか否かを判定する。上下キーが操作された場合はＳ４１３に進み、そうでない場合はＳ４１１に進む。
【００８１】
Ｓ４１３では、システム制御部５０は、上下キーの操作に応じて左側領域６０１と右側領域６０２の表示範囲を連動して上下に移動する。すなわち、上ボタンが押下された場合は左側領域６０１と右側領域６０２の表示範囲を連動して上に移動し、下ボタンが押下された場合は左側領域６０１と右側領域６０２の表示範囲を連動して下に移動する。図６（ｇ）に、図６（ｆ）の状態から上ボタンが何度か押下された場合の表示例を示す。左側領域６０１と右側領域６０２のそれぞれの表示範囲が、図６（ｆ）よりも図６（ｇ）の方が撮像範囲のうち上側に移動している（従って映像自体は上から下にスクロール移動する）。拡大位置ガイド６１０において、左側領域６０１と右側領域６０２の表示範囲がより上に移動したことが分かるように、左側インジケーター６１１と右側インジケーター６１２は図６（ｆ）よりも図６（ｇ）の方が上に移動している。変更された表示範囲（表示位置）はシステムメモリ５２に記録し、一旦２点拡大が解除された場合も、電源がオフとならずに再度２点拡大表示がされた場合は同じ表示範囲を２点拡大表示する。
【００８２】
以上のような操作を繰り返し、２点拡大での表示範囲を、地平線、水平線、建物の横の輪郭線などの離れた２箇所に設定し、左右領域の被写体の線を一致させるようにカメラの姿勢を調整して撮影することで、被写体の線が水平に写る画像を撮影することができる。図６（ｈ）に、２点拡大表示において、左側領域６０１を水平線６２１を含む被写体部分に設定し、右側領域６０２を、水平線６２１と離れた位置の水平線６２２を含む被写体部分に設定した場合の表示例を示す。水平線は本来は直線であるが、図６（ｈ）の例では、左側領域６０１に写った水平線６２１と右側領域６０２に写った水平線６２２は繋がった直線には見えず、少しずれている。このような表示を見ることで、ユーザーはデジタルカメラ１００が水平に構えられてないことを識別することができる。ユーザーは、水平線６２１と水平線６２２が１本の直線として視認できるような姿勢にデジタルカメラ１００の姿勢を調整して撮影することで、水平線が水平に写った画像を得ることができる。
【００８３】
Ｓ４１４では、システム制御部５０は、システム制御部５０は、タッチシャッター操作があったか否かを判定する。なお、Ｓ４１４のステップは、前述したタッチシャッターの設定が「入」の場合にのみ行われ、「切」の場合には行わない。Ｓ４１４でタッチシャッター操作があったと判定した場合はＳ４１７に進み、そうでない場合はＳ４１５に進む。タッチシャッター操作とは、表示部２８のうち、ＬＶ画像５００が表示され、ガイド６０６、ガイド６０７、拡大位置ガイド６１０、シャッターアイコン６３０などのＬＶ画像５００以外の表示要素が重畳されていない有効領域に対するタッチダウンである。なお、本実施形態ではタッチダウンをタッチシャッター操作とするが、有効領域に対するタッチアップがあった場合にタッチシャッター操作があったと判定するものとしてもよい。
【００８４】
Ｓ４１５では、システム制御部５０は、シャッターアイコン６３０に対するタッチダウンがあったか否かを判定する。シャッターアイコン６３０に対するタッチダウンがあった場合にはＳ４１７に進み、そうでない場合はＳ４１６に進む。なお、本実施形態では、シャッターアイコン６３０に対するタッチダウンを撮影指示操作として扱うが、シャッターアイコン６３０からのタッチアップを撮影指示操作として扱っても良い。その場合は、Ｓ４１５は、シャッターアイコン６３０からのタッチアップがあったか否かの判定となり、シャッターアイコン６３０からのタッチアップがあった場合にＳ４１７に進む。
【００８５】
Ｓ４１６では、システム制御部５０は、Ｑボタン７０ｃの押下があったか否かを判定する。Ｑボタン７０ｃの押下があった場合はＳ４１７に進み、そうでない場合はＳ４２１に進む。Ｑボタン７０ｃは、操作部７０に含まれる押しボタンの中で最も撮像部２２に入射する被写体光の光軸延長線上に近い押しボタンである。例えばＱボタン７０ｃは、メニューボタン７０ｅ、ＡＦ−ＯＮボタン７０ｂ、ＳＥＴボタン７５、ＬＶボタン７６、拡大ボタン７７、縮小ボタン７８、再生ボタン７９、アクティブ枠切替ボタン７０ｄよりも光軸延長線上に近い位置に配置されている。Ｑボタン７０ｃは２点拡大表示中でない通常の撮影待機中はクイック設定メニューを表示させる機能が割り当てられているが、２点拡大表示中は撮影指示操作の受付機能が割り当てられる。このように光軸に近く、かつ、押し込む方向が光軸と平行である押しボタンであれば、押し込む操作による光軸回りのトルクが発生しにくい。従って、押し込むことによってデジタルカメラ１００の姿勢がずれてしまうことを抑止することができる。このように、２点拡大表示中に撮影指示を行える機能をＱボタン７０ｃに割り当てることで、２点拡大表示を利用してカメラの姿勢を厳密に調整した後に行う撮影指示によってデジタルカメラ１００の姿勢がずれることを抑止できる。シャッターアイコン６３０へのタッチ操作は厚手の手袋等をしている場合には行えず、セルフタイマーを利用した撮影では撮影タイミングが遅れてしまう。これに対し、Ｑボタン７０ｃの押下であれば、手袋をしていても行え、撮影タイミングの遅延が少なく、しかもデジタルカメラ１００の姿勢がずれにくい。なお、２点表示中に撮影指示を行える機能を割り当てるのはＱボタン７０ｃに限るものではなく、他のボタンとしても良い。その際、光軸延長線上に最も近い位置に配置されたボタンに、撮影指示以外の別の機能を２点拡大表示中に割り当てる必要がある場合は、そのボタンに撮影指示の機能を割り当てることはできない。そのため、２点拡大表示中に撮影指示の機能を割り当てるボタンは、全ボタンのうち光軸延長線上に最も近い位置に配置されたボタンで無くてもよい。すなわち、２点拡大表示中に機能が割り当てられていない他のどのボタンよりも光軸延長線上に近い位置に配置されたボタンに撮影指示の機能を割り当てるものとしても良い。
【００８６】
Ｓ４１７では、システム制御部５０は、２点拡大を解除することなく、ＡＦ，ＡＥなどの撮影準備動作を行う。ＡＦについては、アクティブ枠の中央部（中央マーカー６０５が示す位置）に対してＡＦを行う。
【００８７】
Ｓ４１８では、システム制御部５０は、不揮発性メモリ５６に記録された設定情報を参照し、２点拡大時シャッターの設定が、メカシャッターとなっているか否かを判定する。メカシャッターに設定されている場合にはＳ４２０に進み、そうでない場合（電子シャッターに設定されている場合）はＳ４１９に進む。
【００８８】
Ｓ４１９では、システム制御部５０は、電子シャッターによる撮影を行う。すなわち、シャッター１０１を走行させることなく露光を行い、撮像された画像を画像ファイルとして記録媒体２００に記録する一連の撮影処理を行う。電子シャッターによる撮影であるため、シャッター１０１の走行が無い分、２点拡大表示で調整した姿勢が変わってしまうことを抑制できる。
【００８９】
Ｓ４２０では、システム制御部５０は、メカシャッターによる撮影を行う。すなわち、シャッター１０１を走行させて露光を行い、撮像された画像を画像ファイルとして記録媒体２００に記録する一連の撮影処理を行う。
【００９０】
一方、Ｓ４２１では、システム制御部５０は、シャッターボタン６１が半押しされてＳＷ１がオンとなったか否かを判定する。ＳＷ１がオンとなった場合はＳ４２２に進み、そうでない場合はＳ４２８に進む。
【００９１】
Ｓ４２２では、システム制御部５０は、２点拡大を解除することなく、ＡＦ，ＡＥなどの撮影準備動作を行う。ＡＦについては、アクティブ枠の中央部（中央マーカー６０５が示す位置）に対してＡＦを行う。ＡＦの結果合焦すると、ＳＷ１オンが保持されている間はピントが固定（ＡＦロック）される。
【００９２】
Ｓ４２３では、システム制御部５０は、シャッターボタン６１の全押しがなされＳＷ２がオンとなったか否かを判定する。ＳＷ２がオンとなった場合はＳ４２５に進み、そうでない場合はＳ４２４に進む。
【００９３】
Ｓ４２４では、システム制御部５０は、ＳＷ１のオンが保持されているか否かを判定する。ＳＷ１オンが保持されている場合はＳ４２３に進み、そうでない場合はＡＦロック状態を解除してＳ４０６に進む。
【００９４】
Ｓ４２５では、システム制御部５０は、不揮発性メモリ５６に記録された設定情報を参照し、ドライブモードの設定でセルフタイマーの設定がオンとなっているか否かを判定する。この判定は前述のＳ３２７の判定と同様である。セルフタイマーの設定がオンとなっている場合はＳ４２６に進み、そうでない場合はＳ４２７に進む。
【００９５】
Ｓ４２６では、システム制御部５０は、Ｓ３２８と同様に、設定されているセルフタイマー秒時（２秒、１０秒、任意に設定した秒数のいずれか）の時間をカウントダウンし、セルフタイマー秒時の経過を待つ。セルフタイマー秒時が経過するとＳ４１８に進む。
【００９６】
Ｓ４２７では、システム制御部５０は、所定時間の待機を行う。所定時間は例えば２秒である。このように、本実施形態では、２点拡大表示中にシャッターボタン６１の押下による撮影指示が行われた場合には、セルフタイマー設定がオフとなっていても、撮影指示操作から所定時間待ってから撮影を行う。これは、シャッターボタン６１の押下や、その他の要因によって生じる可能性のあるブレが静止するのを待つためである。このようにすることで、２点拡大表示を利用して厳密に調整したデジタルカメラ１００の姿勢が、シャッターボタン６１を押下する力によって一時的にずれてしまっている状態で撮影が行われてしまうことを防止することができる。また、ライブビューを表示している際であっても、設定によっては一旦クイックリターンミラー１２を駆動して撮影することがあるが、この場合のミラー駆動による振動が収まるのを待つことができる。
【００９７】
Ｓ４２８では、システム制御部５０は、２点拡大の終了ボタンが押下されたか否かを判定する。２点拡大の終了ボタンは、本実施形態ではメニューボタン７０ｅである。メニューボタン７０ｅが押下された場合はＳ４２９に進み、そうでない場合はＳ４０６に戻って処理を繰り返す。
【００９８】
Ｓ４２９では、システム制御部５０は、２点拡大表示を解除してライブビュー画像の全体表示に戻し、２点拡大処理を終了し、図３のＳ３０１に進んで全体ライブビュー画像の表示となる。
【００９９】
以上説明した２点拡大処理においては、２点拡大表示を利用してユーザーが厳密にデジタルカメラ１００の姿勢を調整したうえでの撮影時に、デジタルカメラ１００の姿勢が調整した姿勢からずれて撮影されてしまうことを防止することができるという効果を奏する。なお、この効果を奏するための処理としていくつかの処理を説明したが、もちろんこれらの全てを行わなくともよく、一部を行うものとしても良い。例えば、２点拡大時シャッターの設定に関する処理（Ｓ３０４、Ｓ３０５，Ｓ４０４，Ｓ４０５，Ｓ４１８，Ｓ４２０）を省いても良い。また、２点拡大時であればセルフタイマー設定に関わらず、撮影指示から所定時間を置いて撮影する処理（Ｓ４２７）を省いても良い。また、２点拡大表示中であればシャッターアイコン６３０を表示することに関する処理（Ｓ４１５）を省き、２点拡大表示であってもシャッターアイコン６３０を表示しない構成としてもよい。また、２点拡大表示中であればＱボタン７０ｃに撮影指示の受付機能を割り当てることに関する処理（Ｓ４１６）を省き、２点拡大表示に新たに撮影指示を受け付けるボタンを増やさなくても良い。
【０１００】
なお、Ｓ３０５で設定可能な２点拡大時シャッターの設定値として、電子先幕シャッターがあってもよい。電子先幕シャッターは、露光を開始する先幕を走行させることなく電子シャッター機能に置き換えた方式である。メカ的な先幕の走行がないため、幕の走行による振動の発生が抑制され、メカシャッターよりもブレを抑制することができる。２点拡大時シャッターの設定が電子先幕シャッターに設定された場合は、Ｓ４０４ではＮｏと判定される。また、Ｓ４１８ではＮｏと判定され、その後、Ｓ４１９、Ｓ４２０のいずれでもなく、電子先幕シャッターでの撮影が行われる。
【０１０１】
また、上述の実施形態においては、２点拡大表示を行った場合に撮影時のブレや姿勢のずれを抑止する例を説明したが、電子水準器の表示を行った場合に撮影時のブレや姿勢のずれを抑止する処理を行っても良い。デジタルカメラ１００は、姿勢検知部５５での検知に基づいて、ライブビュー画像とともに表示部２８に電子水準器を表示することも可能である。電子水準器を表示する（表示オン）か表示しない（表示オフ）かは、ユーザーの表示切替操作に応じて切り替えることができる。電子水準器を表示している場合も、ユーザーはカメラの姿勢を厳密に調整した上での撮影を行おうとしていると想定できる。そのため、上述の２点拡大表示の際と同様に下記のような処理の少なくとも１つを行ってもよい。
【０１０２】
・２点拡大時シャッターの設定と同様に、電子水準器を表示している際のシャッターの設定が可能であり、メカシャッター、電子シャッター、電子先幕シャッター等が設定可能。電子水準器を表示していない場合はメカシャッターでの撮影を行うが、電子水準器を表示している場合は電子水準器を表示している際のシャッターの設定に応じた方式で撮影を行う。
・電子水準器を表示中であればセルフタイマー設定に関わらず、撮影指示から所定時間を置いて撮影する。
・電子水準器を表示中であれば、シャッターアイコン６３０と同様の、撮影指示を受け付けるためのシャッターアイコンを表示する。電子水準器を表示している際にシャッターアイコンに対するタッチ操作があった場合に撮影を行う。
・電子水準器を表示中であれば、Ｑボタン７０ｃのような、光軸延長線上に近い操作ボタンに撮影指示を受け付ける機能を割り当てる。
【０１０３】
なお、システム制御部５０が行うものとして説明した上述の各種制御は、１つのハードウェアが行ってもよいし、複数のハードウェアが処理を分担することで、装置全体の制御を行ってもよい。
【０１０４】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１０５】
また、上述した実施形態においては、本発明をデジタルカメラ１００に適用した場合を例にして説明したが、これはこの例に限定されず、２点拡大表示を行うことのできる撮像装置であれば適用可能である。すなわち、本発明はカメラ機能を有するパーソナルコンピュータやＰＤＡ、カメラ付き携帯電話端末やカメラ付きの携帯型の画像ビューワ、カメラ付き音楽プレーヤー、カメラ付きゲーム機、カメラ付き電子ブックリーダーに適用可能である。また、カメラ付きタブレット端末、カメラ付きスマートフォン、カメラ機能とディスプレイを備える家電装置や車載装置などに適用可能である。また、デジタルカメラ等で撮影したライブビュー画像を有線または無線通信を介して受信して表示し、リモートでデジタルカメラ（ネットワークカメラを含む）を制御するスマートフォンやタブレットＰＣ、デスクトップＰＣなどの装置にも適用可能である。
【０１０６】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【図１】
2018133674.tif 000003
【図２】
2018133674.tif 000004
【図３】
2018133674.tif 000005
【図４】
2018133674.tif 000006
【図５】
2018133674.tif 000007
【図６】
2018133674.tif 000008